(57)【要約】【課題】モータの動作によるモータ軸や接続機器の移動距離を容易に把握できるモータ動作状態表示装置、及びそれを用いたモータ制御命令出力装置を提供する。【解決手段】モータ動作状態管理装置１は、表示画面８１に、一方の軸が時間、他方の軸がモータ動作距離を示す第一のグラフ８１１、第二のグラフ８１２を表示させる座標空間形成部３と、第一のモータ１３ａ、第二のモータ１３ｂの加速動作、定速動作、減速動作のそれぞれを、第一のグラフ８１１、第二のグラフ８１２上に作図可能なモータ動作データ２２として記録する記録部２と、モータ動作データ２２を用いて、第一のグラフ８１１、第二のグラフ８１２上に、第一のモータ１３ａ、第二のモータ１３ｂの加速動作、定速動作、減速動作のそれぞれの動作が視覚的に認識できる図形として表示させることで、第一のモータ１３ａ、第二のモータ１３ｂの動作状態を表示させる動作状態表示部４とを備える。【選択図】図１
2015019466.tif 000002
【特許請求の範囲】
【請求項１】
表示手段にモータの動作状態を表示させるモータ動作状態表示装置であって、
前記表示手段に、一方の軸が時間、他方の軸がモータ動作距離を示す座標空間を複数形成して表示させる座標空間形成手段と、
前記モータの加速動作、定速動作、減速動作のそれぞれを、前記座標空間上に作図可能なデータとして記録する動作状態記録手段と、
前記動作状態記録手段に記録された前記データを用いて、前記座標空間上に、前記モータの前記加速動作、前記定速動作、前記減速動作のそれぞれの動作が視覚的に認識できる図形として表示させることで、前記モータの前記動作状態を表示させる動作状態表示手段とを備えたことを特徴とするモータ動作状態表示装置。
【請求項２】
前記モータは複数存在し、前記動作状態表示手段は、それぞれのモータの動作をそれぞれ異なる前記座標空間に表示させることを特徴とする請求項１に記載のモータ動作状態表示装置。
【請求項３】
前記動作状態表示手段は、前記加速動作、前記定速動作、前記減速動作のそれぞれを、前記モータの動作に依存した略矩形の前記図形として前記座標空間に表示させることを特徴とする請求項１又は２に記載のモータ動作状態表示装置。
【請求項４】
前記加速動作、前記定速動作、前記減速動作を示すそれぞれの前記図形を修正可能な表示修正手段を備え、
前記動作状態表示手段は、前記表示修正手段の修正に基づいて、既に前記座標空間に表示された前記図形を修正して表示することを特徴とする請求項１乃至３の何れか一つに記載のモータ動作状態表示装置。
【請求項５】
前記モータは遊技機の役物を作動させるために設けられたものであることを特徴とする請求項１乃至４の何れか一つに記載のモータ動作状態表示装置。
【請求項６】
請求項１乃至５の何れか一つに記載のモータ動作状態表示装置と、
前記モータの動作を制御する、シーケンスデータ及びプログラムのうち少なくとも何れか一方を作成し出力させる制御命令作成手段を備えたモータ制御命令出力装置であって、
前記制御命令作成手段は、前記動作状態表示手段によって前記表示手段に表示された前記加速動作、前記定速動作、前記減速動作の図形に依存した、前記シーケンスデータ及び前記プログラムのうちの少なくとも何れか一方を作成し出力することを特徴とすることを特徴とするモータ制御命令出力装置。
【発明の詳細な説明】
【技術分野】
【０００１】
本発明は、遊技機等に配設されたモータの動作状態を模式的な画像として表示する技術、及び、画像に基づいてモータの制御命令を生成する技術に関する。
【背景技術】
【０００２】
モータの動作状態を設計したり、設計に基づいて制御命令を作成する際に、設計者は、モータの動作状態を容易かつ的確に把握する必要がある。このため、従来、モータの動作状態を模式的に表示する技術が知られている（例えば、特許文献１参照）。この技術においては、横軸を時間、縦軸を速度とする座標空間上に、モータの動作状態を折れ線グラフとして表示させる。
【先行技術文献】
【特許文献】
【０００３】
【特許文献１】特開２０１１−８７７９６公報
【発明の概要】
【発明が解決しようとする課題】
【０００４】
しかしながら、特許文献１に記載の発明においては、座標空間に表示されたグラフによって、モータの動作によるモータ自身やモータに接続された機器の移動距離（即ち、モータの回転に依存する、モータ軸の回転角や、モータ軸の回転に伴う、モータに接続された各種機器の回転角や移動距離など）を簡単に把握することが難しいという問題がある。特に、近年の遊技機等の分野においては、一台の遊技機本体に複数の異なる遊技機が設置され、それらのモータが別個に動作することで役物等が統合的な動作を行う場合が多い。このような場合、特許文献１に記載の発明においては、それぞれのモータの動作や距離を統合的に把握することは一層難しくなる。
【０００５】
本発明はこのような問題に鑑みてなされたものであり、モータの動作によるモータ軸や接続機器の移動距離を容易に把握できるモータ動作状態表示装置、及び、モータ動作状態表示装置を用いたモータ制御命令出力装置を提供することを課題としている。
【課題を解決するための手段】
【０００６】
かかる課題を解決するために、請求項１に記載の発明は、表示手段にモータの動作状態を表示させるモータ動作状態表示装置であって、前記表示手段に、一方の軸が時間、他方の軸がモータ動作距離を示す座標空間を複数形成して表示させる座標空間形成手段と、前記モータの加速動作、定速動作、減速動作のそれぞれを、前記座標空間上に作図可能なデータとして記録する動作状態記録手段と、前記動作状態記録手段に記録された前記データを用いて、前記座標空間上に、前記モータの前記加速動作、前記定速動作、前記減速動作のそれぞれの動作が視覚的に認識できる図形として表示させることで、前記モータの前記動作状態を表示させる動作状態表示手段とを備えたことを特徴とする。
【０００７】
請求項２に記載の発明は、請求項１に記載の構成に加え、前記モータは複数存在し、前記動作状態表示手段は、それぞれのモータの動作をそれぞれ異なる前記座標空間に表示させることを特徴とする。
【０００８】
請求項３に記載の発明は、請求項１又は２に記載の構成に加え、前記動作状態表示手段は、前記加速動作、前記定速動作、前記減速動作のそれぞれを、前記モータの動作に依存した略矩形の前記図形として前記座標空間に表示させることを特徴とする。
【０００９】
請求項４に記載の発明は、請求項１乃至３の何れか一つに記載の構成に加え、前記加速動作、前記定速動作、前記減速動作を示すそれぞれの前記図形を修正可能な表示修正手段を備え、前記動作状態表示手段は、前記表示修正手段の修正に基づいて、既に前記座標空間に表示された前記図形を修正して表示することを特徴とする。
【００１０】
請求項５に記載の発明は、請求項１乃至４の何れか一つに記載の構成に加え、前記モータは遊技機の役物を作動させるために設けられたものであることを特徴とする。
【００１１】
請求項６に記載の発明は、請求項１乃至５の何れか一つに記載のモータ動作状態表示装置と、前記モータの動作を制御する、シーケンスデータ及びプログラムのうち少なくとも何れか一方を作成し出力させる制御命令作成手段を備えたモータ制御命令出力装置であって、前記制御命令作成手段は、前記動作状態表示手段によって前記表示手段に表示された前記加速動作、前記定速動作、前記減速動作の図形に依存した、前記シーケンスデータ及び前記プログラムのうちの少なくとも何れか一方を作成し出力することを特徴とすることを特徴とする。
【発明の効果】
【００１２】
請求項１に記載の発明によれば、一方の軸が時間、他方の軸がモータ動作距離を示す座標空間を複数形成し、この座標空間上に、モータの加速動作、定速動作、減速動作のそれぞれの動作が視覚的に認識できる図形として表示させることで、モータの動作状態を表示させることにより、時間に応じたモータの動作距離を、表示手段上に、図形の位置や大きさや形状等によって、視認者が視覚的かつ直感的に把握できるように表示させることができる。これにより、モータの動作によるモータ軸や接続機器の移動距離を容易に把握できることができる。
【００１３】
請求項２に記載の発明によれば、複数存在するモータの動作をそれぞれ異なる座標空間に表示させることにより、複数のモータの加速動作、定速動作、減速動作に伴う動作距離を同一の表示手段上にモータごとに対比可能に表示させることができる。これにより、複数のモータの動作によるモータ軸や接続機器の移動距離を相互に対比させつつ容易に把握できることができる。
【００１４】
請求項３に記載の発明によれば、加速動作、定速動作、減速動作のそれぞれを、動作に依存した略矩形の図形として座標空間に表示させることにより、座標空間上に配置された図形の位置によって、モータの動作によるモータ軸や接続機器の移動距離を相互に対比させつつ容易に把握できることができる。
【００１５】
請求項４に記載の発明によれば、表示修正手段の修正に基づいて、既に座標空間に表示された図形を修正して表示することにより、修正作業を行う者に、モータの加速動作、定速動作、減速動作のそれぞれを、視覚的かつ直感的に修正させることが可能になる。これにより、修正作業を行う者は、加速動作、定速動作、減速動作の修正を容易に行うことができる。
【００１６】
請求項５に記載の発明によれば、役物を作動させるために用いられる遊技機のモータにおいて、モータの動作によるモータ軸や接続機器の移動距離を容易に把握できることができる。
【００１７】
請求項６に記載の発明によれば、制御命令作成手段は、動作状態表示手段によって表示手段に表示された加速動作、定速動作、減速動作の図形に依存した、シーケンスデータ及びプログラムのうちの少なくとも何れか一方を作成し出力することにより、表示手段に表示された状態で現実にモータを動作させることを容易に行うことができる。これにより、モータの動作によるモータ軸や接続機器の移動距離を容易に把握しながら、モータやモータにより移動する機器の動作の設計を行うことができる。
【図面の簡単な説明】
【００１８】
【図１】この発明の実施の形態に係るモータ動作状態管理装置の全体構成を示す機能ブロック図である。
【図２】同上モータ動作状態管理装置の記録部に記録されたモータ動作データの概念図である。
【図３】同上モータ動作状態管理装置の処理手順を示すフローチャートである。
【図４】同上モータ動作状態管理装置においてディスプレイに表示される表示画面の概念図である。
【発明を実施するための形態】
【００１９】
［基本構成］
図１乃至図４にこの発明の実施の形態を示す。
【００２０】
図１は、この実施の形態に係るモータ動作状態管理システムの全体構成を示す機能ブロック図である。
【００２１】
同図に示すモータ動作状態管理システム１Ａは、パチンコ機に代表される遊技機１０に設けられた複数のモータ、例えば同図に示す第一のモータ１３ａ、第二のモータ１３ｂの動作シミュレーションと、この、第一のモータ１３ａ、第二のモータ１３ｂを動作させる制御命令を作成し、遊技機１０に供給するために用いられる。
【００２２】
モータ動作状態管理システム１Ａは、「モータ動作状態表示装置」及び「モータ制御命令出力装置」としてのモータ動作状態管理装置１と、遊技機１０とを備えている。
【００２３】
遊技機１０は、遊技機本体１１に、複数のモータが設けられている。この実施の形態では、第一のモータ１３ａと、第二のモータ１３ｂとが設けられている。第一のモータ１３ａ、第二のモータ１３ｂはパルスモータであり、入力されたパルス信号の数や大きさに依存して回転が制御される。遊技機本体１１には、第一のモータ１３ａ、第二のモータ１３ｂにパルス信号を供給する制御手段１２が設けられている。モータ動作状態管理装置１は、制御手段１２におけるパルス信号の出力を制御するためのシーケンスデータやプログラムを供給する。
【００２４】
図１に示すモータ動作状態管理装置１は、少なくとも１のＣＰＵ（図示せず）を備え、このＣＰＵ（図示せず）における命令やデータの処理によってモータ動作状態管理装置１の動作が制御される。さらに、モータ動作状態管理装置１は、ＲＡＭ、ＲＯＭ、ＥＥＰＲＯＭ、磁気ディスク（いずれも図示せず）等を備えている。なお、モータ動作状態管理装置１は、ＣＰＵ（図示せず）に替えてシーケンス制御のための各種構成を備え、当該構成の動作によって動作が制御されるものであってもよい。
【００２５】
また、モータ動作状態管理装置１は、「動作状態記録手段」としての記録部２、「座標空間形成手段」としての座標空間形成部３、「動作状態表示手段」としての動作状態表示部４、「表示修正手段」としての表示修正部５、「制御命令作成手段」としての制御命令作成部６、操作部７、ディスプレイ８を備えている。記録部２、座標空間形成部３、動作状態表示部４、表示修正部５、制御命令作成部６は、ハードウェアとして構成されるものでもよいし、ＣＰＵ（図示せず）における各種プログラムの実行によって実現される機能手段であってもよい。操作部７、及びディスプレイ８は、主としてハードウェアによって構成される。
【００２６】
記録部２は、各種データやプログラムが記録される。この実施の形態において、記録部２には、座標空間を形成可能な座標空間データ２１と、座標空間上に図形を作図可能なモータ動作データ２２とが記録される。座標空間データ２１とモータ動作データ２２との詳細は後述する。
【００２７】
座標空間形成部３は、座標空間データ２１を用いて、表示画面８１（後述）上に座標空間を複数形成して表示させる。
【００２８】
動作状態表示部４は、モータ動作データ２２を用いて、座標空間上にモータの動作が視覚的に認識できる図形を形成する。
【００２９】
表示修正部５は、座標空間上に表示された図形を修正可能であり、そのような図形を修正するための処理を行う。
【００３０】
制御命令作成部６は、座標空間上に表示された図形に基づいて、第一のモータ１３ａ、第二のモータ１３ｂを動作させるためのシーケンスデータやプログラムを作成し出力する。
【００３１】
操作部７は、キーボードやマウス等、操作者が手動で文字や記号の入力や、カーソルの移動を行うためのものである。なお、操作部７は、タッチパネル式ディスプレイ上に設けられたタッチ位置検出手段であってもよい。
【００３２】
ディスプレイ８は、ＬＣＤ等、各種文字や画像を表示可能な表示手段である。
【００３３】
［座標空間データ］
図１に示す座標空間データ２１は、特定の座標空間を形成する。この実施の形態における座標空間データ２１は、図４に示す第一のグラフ８１１、第二のグラフ８１２のような座標空間を形成し、画像表示する。
【００３４】
この第一のグラフ８１１、第二のグラフ８１２に示す座標空間において、「一方の軸」としての横軸は時間（単位：秒）を示し、「他方の軸」としての縦軸は「モータ動作距離」としてのモータ回転角（単位：度）を示す。縦軸は、第一のモータ１３ａ、第二のモータ１３ｂの移動距離を示すものである。ここでは、第一のモータ１３ａや第二のモータ１３ｂの軸の回転の度合いや回転数に依存して、第一のモータ１３ａや第二のモータ１３ｂに取り付けられた役物の回転の度合いや移動距離が変化することに伴って、縦軸に設定されているものである。
【００３５】
なお、縦軸は、このような、「モータ移動距離」に相当するものであればどのようなものでもよい。例えば、第一のモータ１３ａや第二のモータ１３ｂに取り付けられた役物の回転の度合いや、（例えば垂直方向や水平方向への）移動距離を、縦軸としてもよい。
【００３６】
更に、図４に示す第一のグラフ８１１、第二のグラフ８１２とは逆に、「一方の軸」が縦軸であって時間を示し、「他方の軸」が縦軸であって「モータ動作距離」を示す構成であってもよい。
【００３７】
また、縦軸によって決定された「モータ移動距離」は、後述する、制御命令作成部６におけるシーケンスデータやプログラムにおいては、第一のモータ１３ａや第二のモータ１３ｂに入力されるパルスの数を決定する。
【００３８】
［モータ動作データ］
図２に、この実施の形態のモータ動作データを模式的に示す。同図に示す通り、この実施の形態において、モータ動作データ２２は、第一のモータ動作データ２２ａと第二のモータ動作データ２２ｂとを有する。第一のモータ動作データ２２ａは第一のモータ１３ａの動作を制御するデータに相当し、第二のモータ動作データ２２ｂは第二のモータ１３ｂを制御するデータに相当する。
【００３９】
第一のモータ動作データ２２ａは第一のモータ１３ａの動作特性に基づいて形成され、第二のモータ動作データ２２ｂは第二のモータ１３ｂの動作特性に基づいて形成される。ここでは、第一のモータ１３ａと第二のモータ１３ｂとは異なる動作特性を有し、従って第一のモータ動作データ２２ａと第二のモータ動作データ２２ｂとは異なるデータとして形成されている。
【００４０】
図２に示す通り、第一のモータ動作データ２２ａは、「Ａ」で示す加速データ２２ａ１、「Ｖ」で示す定速データ２２ａ２、「Ｄ」で示す減速データ２２ａ３を有する。第二のモータ動作データ２２ｂは、「Ａ」で示す加速データ２２ｂ１、「Ｖ」で示す定速データ２２ｂ２、「Ｄ」で示す減速データ２２ｂ３を有する。
【００４１】
第一のモータ１３ａも第二のモータ１３ｂも、役物（図示せず）を装着した状態で、「行き（役物の、定位置から離間する方向への移動のこと。以下単に「行き」と称する。）」の回転の際の回転特性と、「戻り（役物の、定位置方向への移動のこと。以下単に「戻り」と称する。）」の回転の際の回転特性（単位時間当たりの回転角等）が相違する場合がある。そのため、この実施の形態においては、第一のモータ動作データ２２ａ、第二のモータ動作データ２２ｂは、それぞれ、「行き」のデータと「戻り」のデータとを有している。
【００４２】
例えば、図２に示すように、第一のモータ動作データ２２ａの加速データ２２ａ１は行きデータ２２ａ１１と戻りデータ２２ａ１２を有し、減速データ２２ａ３は行きデータ２２ａ３１と戻りデータ２２ａ３２とを有する。第二のモータ動作データ２２ｂの加速データ２２ｂ１と減速データ２２ｂ３も、同様に行きデータと戻りデータとを有するが、図２に図示を省略する。
【００４３】
図２に示すように、第一のモータ動作データ２２ａの加速データ２２ａ１と減速データ２２ａ２とには、単位時間（０．１秒）ごとの第一のモータ１３ａの速度（例えばモータ１３ａの回転速度に対応する値）が記録されている。一方、定速データ２２ａ２は、速度が「２５」で速度変化がない状態が記録されている。第二のモータ動作データ２２ｂも第一にモータ動作データ２２ａと同様に構成されているが、図２に図示を省略する。
【００４４】
なお、図２に示す、第一のモータ動作データ２２ａや、第二のモータ動作データ２２ｂの単位時間や速度の状態は一例である。第一のモータ動作データ２２ａや第二のモータ動作データ２２ｂは、第一のモータ１３ａや第二のモータ１３ｂを正しく動作させうるものならば、図２に示すもの以外のどのようなものであってもよい。
【００４５】
［動作状態の図示］
動作状態表示部４は、座標空間データ２１とモータ動作データ２２を用いて、座標空間上に、モータの動作状態を表示させる図を作成し、「表示手段」としての表示画面８１上にグラフィック表示させる。
【００４６】
ここでは、図４に概念図を示すように、一の表示画面８１上に、第一のモータ１３ａの動作状態を示す第一のグラフ８１１、第二のモータ１３ｂの動作状態を示す第二のグラフ８１２をそれぞれ表示させる。もし、遊技機本体１１に、第一のモータ１３ａ、第二のモータ１３ｂ以外にもモータが存在する場合には、表示画面８１上に、更にそれらのモータの数のグラフを表示させ、そのグラフ上にそれぞれのモータの動作状態を表示させる。
【００４７】
第一のグラフ８１１には、第一のモータ１３ａの「行き」と「戻り」のそれぞれについて、加速状態、定速状態、減速状態とが視覚的に認識できる状態で表示されている。第二のグラフ８１２には、「行き」と「戻り」のそれぞれについて、加速状態、定速状態、減速状態とが視覚的に認識できる状態で表示されている。すなわち、第一のグラフ８１１、第二のグラフ８１２においては、それらの状態が、縦辺が縦軸に、横辺が横軸に平行な、略矩形の図形として表示されている。
【００４８】
具体的には、図４の第一のグラフ８１１に表示されたそれぞれの矩形は、加速表示２２ａ１１１、定速表示２２ａ２１１,２２ａ２１２、減速表示２２ａ３１１が第一のモータ１３ａの「行き」の加速動作、定速動作、減速動作をそれぞれ示し、加速表示２２ａ１２１、定速表示２２ａ２２１、減速表示２２ａ３２１が、第一のモータ１３ａの「戻り」の加速動作、定速動作、減速動作をそれぞれ示す。
【００４９】
図４の第二のグラフ８１２に表示されたそれぞれの矩形は、加速表示２２ｂ１１１、定速表示２２ｂ２１１、減速表示２２ｂ３１１が第二のモータ１３ｂの「行き」の加速動作、定速動作、減速動作をそれぞれ示し、加速表示２２ｂ１２１、定速表示２２ｂ２２１、減速表示２２ｂ３２１が、第一のモータ１３ｂの「戻り」の加速動作、定速動作、減速動作をそれぞれ示す。
【００５０】
それぞれの表示２２ａ１１１,２２ａ２１１,２２ａ２１２,２２ａ３１１,２２ａ１２１,２２ａ２２１,２２ａ３２１，２２ｂ１１１,２２ｂ２１１,２２ｂ３１１,２２ｂ１２１,２２ｂ２２１,２２ｂ３２１、において、横辺の位置と長さはそれぞれの動作が行われるタイミングと時間の長さを示し、縦辺の位置と長さはそれぞれの動作が行われる回転角の範囲と大きさを示す。
【００５１】
また、第二のグラフ８１２には、第二のモータ１３ｂの「行き」と「戻り」のそれぞれについて、加速状態、定速状態、減速状態とが視覚的に認識できる状態で、第一のグラフ８１１と同様の矩形にて表示されている。
【００５２】
第一のグラフ８１１、第二のグラフ８１２に示されたこれらの図形は、操作者が操作部７を用いて、第一のモータ１３ａや第二のモータ１３ｂの、動作させたい時間、及び、動作させたい回転角や距離等を数値入力することで、動作状態表示部４が、第一のモータ動作データ２２ａの加速データ２２ａ１、定速データ２２ａ２、減速データ２２ａ３や、第二のモータ動作データ２２ｂの加速データ２２ｂ１、定速データ２２ｂ２、減速データ２２ｂ３を用いて「行き」と「戻り」の加速動作、定速動作、減速動作のそれぞれが行われるタイミングや回転角を自動的に算出し、算出した結果に基づいて、第一のグラフ８１１や第二のグラフ８１２上の該当する位置に該当する矩形を表示させる。ただし、操作者が操作部７を用いて、第一のモータ１３ａや第二のモータ１３ｂの「行き」と「戻り」の加速動作、定速動作、減速動作のそれぞれの数値を入力することで第一のグラフ８１１や第二のグラフ８１２上にそれぞれの矩形を表示させる構成であってもよい。
【００５３】
［処理手順］
図３は、この実施の形態のモータ動作状態管理システム１Ａの処理手順を示すフローチャートである。以下、同図に基づいてモータ動作状態管理システム１Ａの処理の内容を説明する。
【００５４】
まず、作業者は、モータ動作状態管理装置１の操作部７を操作して、モータ動作状態管理装置１に座標空間の形成（ステップＳ１）と動作状態の表示（ステップＳ２）とを行わせる。例えば、操作者が、操作部７により、第一のモータ１３ａや第二のモータ１３ｂの、動作させたい時間、及び、動作させたい回転角や距離等を数値入力し、これらをグラフとして画面表示させる命令を入力する。これにより、座標空間形成部３は、横軸が時間、縦軸がモータ回転角の座標空間を形成する。また、動作状態表示部４は、操作部７から入力された数値と、記録部２に記録された第一のモータ動作データ２２ａ及び第二のモータ動作データ２２ｂとに基づいて、第一のモータ１３ａや第二のモータ１３ｂの、「行き」と「戻り」の加速動作、定速動作、減速動作のそれぞれが行われるタイミングや回転角を自動的に算出する。そして、動作状態表示部４は、算出した結果に基づいて、第一のグラフ８１１や第二のグラフ８１２上の該当する位置に該当する矩形を表示させる。
【００５５】
これにより、ディスプレイ８には、図４に示すように、表示画面８１が表示され、この表示画面８１上に、第一のグラフ８１１と第二のグラフ８１２とが表示される。第一のグラフ８１１には、第一のモータ１３ａの動作特性（第一のモータ動作データ２２ａに基づく動作特性）による、「行き」の加速表示２２ａ１１１、定速表示２２ａ２１１,２２ａ２１２、減速表示２２ａ３１１と、「戻り」の加速表示２２ａ１２１、定速表示２２ａ２２１、減速表示２２ａ３２１とが、矩形にて表示される。同様に、第二のグラフ８１２上には、第二のモータ１３ｂの動作特性（第二のモータ動作データ２２ｂに基づく動作特性）による、「行き」の加速表示２２ｂ１１１、定速表示２２ｂ２１１、減速表示２２ｂ３１１と、「戻り」の加算表示２２ｂ１２、定速表示２２ｂ２２１、減速表示２２ｂ３２１とがそれぞれ示される。
【００５６】
このように表示することで、操作者が表示画面８１を視認すれば、第一のモータ１３ａと第二のモータ１３ｂの動作タイミングや回転角の状態を、矩形の位置や大きさや形状により、視覚的かつ直感的に確認したり対比したりできる。
【００５７】
そして、もし、遊技機本体１１に第一のモータ１３ａと第二のモータ１３ｂ以外に役物を作動させるモータが存在し、そのモータについても動作状態を視覚的かつ直感的に確認したい場合には（ステップＳ３の“Ｙｅｓ”）、座標空間形成部３と動作状態表示部４とは、ステップＳ１とステップＳ２の処理を繰り返して、それらのモータについても、表示画面８１上にモータごとにグラフを表示させて、そのグラフ上に、「行き」の加速表示、定速表示、減速表示と、「戻り」の加速表示、定速表示、減速表示とをそれぞれ表示させる。
【００５８】
表示画面８１上に、表示させたいモータの動作を示した全てのグラフ（例えば図４に示すグラフ８１１とグラフ８１２）が表示されのち（ステップＳ３の“Ｙｅｓ”）、操作者が、グラフ８１１やグラフ８１２を見て、第一のモータ１３ａや第二のモータ１３ｂの動作状態の修正を図りたい場合（ステップＳ４の“Ｙｅｓ”）、表示修正部５は、グラフ８１１やグラフ８１２に表示された図形の修正を行う（ステップＳ５）。この修正は、操作者が操作部７から入力した動作タイミングや回転角の具体的な数値に基づいて行われてもよい。また、この修正は、ディスプレイ８がタッチパネル式である場合に、操作者がディスプレイ８をタップし、表示画面８１上のいずれかの表示（例えば第一のグラフ８１１の定速表示２２ａ２１１）の大きさを変化させた情報に基づいて行われてもよい。
【００５９】
なお、ステップＳ５での修正により、第一のモータ動作データ２２ａや第二のモータ動作データ２２ｂを修正する必要が生じた場合には、表示修正部５は、記録部２の第一のモータ動作データ２２ａや第二のモータ動作データ２２ｂにおける、修正が必要な箇所を修正する。
【００６０】
一方、全てのモータ（例えば第一のモータ１３ａ及び第二のモータ１３ｂ）について表示画面８１にグラフ（例えば第一のグラフ８１１及び第二のグラフ８１２）を表示させ（ステップＳ３の“Ｙｅｓ”）、それらの表示の修正が不要である場合（ステップＳ４の“Ｎｏ”）は、ステップＳ５の処理は行われない。
【００６１】
表示画面８１に表示された画面が、第一のモータ１３ａと第二のモータ１３ｂについて、操作者の希望する動作状態を示している場合、操作者は操作部７を操作して、モータ動作状態管理装置１に、第一のモータ１３ａと第二のモータ１３ｂとを動作させるための、制御命令の作成を行わせる。この制御命令の作成の指示を受け、制御命令作成部１３は、第一のモータ１３ａと第二のモータ１３ｂとをそれぞれ動作させるためのシーケンスデータやプログラムを作成し、出力する（ステップＳ６）。出力されたシーケンスデータやプログラムは、遊技機本体１１に設けられた制御手段１２に供給される。この制御手段１２は、供給されたシーケンスデータやプログラムに基づいて、第一のモータ１３ａや第二のモータ１３ｂを動作させる。第一のモータ１３ａや第二のモータ１３ｂが操作することで、これらの設置された役物（図示せず）が動作することになる。
【００６２】
これにより、表示画面８１において視覚的かつ直感的に確認した情報に基づいて、遊技機本体１１に設けられた役物（図示せず）を作動させる、第一のモータ１３ａと第二のモータ１３ｂとの動作制御のための情報を作成できる。そのため、遊技機本体１１に設けられた第一のモータ１３ａや第二のモータ１３ｂ、及び、それらに設置された役物を動作させるための制御情報を容易に作成できる。
【００６３】
以上示した通り、この実施の形態においては、横軸が時間、縦軸がモータ回転角を示す複数の座標空間として第一のグラフ８１１、第二のグラフ８１２を形成し、第一のグラフ８１１、第二のグラフ８１２上に、第一のモータ１３ａ、第二のモータ１３ｂの加速動作、定速動作、減速動作のそれぞれの動作が視覚的に認識できる図形として、加速表示２２ａ１１１，２２ａ１２１，２２ｂ１１１，２２ｂ１２１、定速表示２２ａ２１１，２２ａ２１２，２２ａ２２１，２２ｂ２１１，２２ｂ２２１、減速表示２２ａ３１１，２２ａ３２１，２２ｂ３１１，２２ｂ３２１を表示させることで、第一のモータ１３ａ、第二のモータ１３ｂの動作状態を表示させることにより、時間に応じた第一のモータ１３ａ、第二のモータ１３ｂの動作距離を、表示画面８１上に、視認者が視覚的に把握できるように表示させることができる。これにより、第一のモータ１３ａ、第二のモータ１３ｂの動作によるモータ軸や接続機器の移動距離を容易に把握できることができる。
【００６４】
この実施の形態においては、複数存在するモータ即ち第一のモータ１３ａ及び第二のモータ１３ｂの動作をそれぞれ異なる座標空間である第一のグラフ８１１及び第二のグラフ８１２に表示させることにより、第一のモータ１３ａ、第二のモータ１３ｂの加速動作、定速動作、減速動作に伴う動作距離を、一の表示画面８１上に、第一のモータ１３ａ、第二のモータ１３ｂごとに対比可能に表示させることができる。これにより、第一のモータ１３ａ、第二のモータ１３ｂの動作によるモータ軸や接続機器の移動距離を相互に対比させつつ容易に把握できることができる。
【００６５】
この実施の形態においては、加速動作、定速動作、減速動作のそれぞれを、動作に依存した略矩形の図形である加速表示２２ａ１１１、定速表示２２ａ２１１，２２ａ２１２、減速表示２２ａ３１１、加速表示２２ａ１２１、定速表示２２ａ２２１、減速表示２２ａ３２１等として、第一のグラフ８１１、第二のグラフ８１２にそれぞれ表示させることにより、第一のグラフ８１１上、第二のグラフ８１２上に配置された図形の位置によって、第一のモータ１３ａ、第二のモータ１３ｂの動作によるモータ軸や接続機器の移動距離を相互に対比させつつ容易に把握できることができる。
【００６６】
この実施の形態においては、表示修正部５の修正に基づいて、既に第一のグラフ８１１、第二のグラフ８１２に表示された、加速表示２２ａ１１１，２２ａ１２１，２２ｂ１１１，２２ｂ１２１、定速表示２２ａ２１１，２２ａ２１２，２２ｂ２１１，２２ｂ２２１、減速表示２２ａ３１１，２２ａ３２１，２２ｂ３１１，２２ｂ３２１の一部又は全部を修正して表示することにより、修正作業を行う者に、第一のモータ１３ａ、第二のモータ１３ｂの加速動作、定速動作、減速動作のそれぞれを、視覚的かつ直感的に修正させることが可能になる。これにより、修正作業を行う者は、加速動作、定速動作、減速動作の修正を容易に行うことができる。
【００６７】
この実施の形態においては、役物を作動させるために用いられる遊技機１０の第一のモータ１３ａ、第二のモータ１３ｂにおいて、第一のモータ１３ａ、第二のモータ１３ｂの動作によるモータ軸や接続機器の移動距離を容易に把握できることができる。
【００６８】
この実施の形態においては、制御命令作成部６は、動作状態表示部４によって表示画面８１に表示された、加速動作、定速動作、減速動作の図形に依存した、シーケンスデータ及びプログラムのうちの少なくとも何れか一方を作成し出力することにより、表示画面８１に表示された状態で現実に第一のモータ１３ａ及び第二のモータ１３ｂを動作させることを容易に行うことができる。これにより、第一のモータ１３ａ及び第二のモータ１３ｂの動作によるモータ軸や接続機器の移動距離を容易に把握しながら、第一のモータ１３ａ及び第二のモータ１３ｂや、第一のモータ１３ａ及び第二のモータ１３ｂにより移動する機器の動作の設計を行うことができる。
【００６９】
なお、上記実施の形態においては、第一のグラフ８１１、第二のグラフ８１２上に、略矩形の図形を表示することで、第一のモータ１３ａ、第二のモータ１３ｂの加速動作、定速動作、減速動作を表示したが、これに限らず、加速動作、定速動作、減速動作の動作タイミングや「モータ動作距離」が視覚的に認識できる表示であれば、どのような形状であってもよい。例えば、加速動作、定速動作、減速動作のそれぞれを、三角形、五角形、六角形、星形等の多角形で示してもよいし、円形や楕円形等で示してもよいし、矢印等の図形で示してもよい。また、例えば加速動作と減速動作は三角形、定速動作は四角形のように、動作ごとに異なる図形で表示させてもよい。
【００７０】
また、上記実施の形態においては、ステップＳ２の処理手順において、操作者が操作部７から入力した数値に基づいて第一のグラフ８１１や第二のグラフ８１２を形成する構成としたが、これに限らず、タッチパネル式のディスプレイ８上に表示画面８１を表示させ、この表示画面８１上に表示された座標空間（例えば図４に示す第一のグラフ８１１や第二のグラフ８１２と同様の座標空間）に指やタブレットペン等によって矩形を入力することで「行き」や「戻り」の加速表示、定速表示、減速表示を形成する構成としてもよい。
【００７１】
この実施の形態においては、モータ動作状態管理装置１は、遊技機１０の遊技機本体１１に設けられた役物（図示せず）を作動させる第一のモータ１３ａ、第二のモータ１３ｂの動作状態を表示させ、第一のモータ１３ａ、第二のモータ１３ｂの制御命令を作成出力するための構成としたが、これに限られず、遊技機１０以外の構成（例えばロボット等）に設けられたモータの動作状態を表示させ、そのモータを動作させるために用いられてもよい。
【００７２】
上記実施の形態は本発明の例示であり、本発明が上記実施の形態のみに限定されることを意味するものではないことは、いうまでもない。
【符号の説明】
【００７３】
１・・・モータ動作状態管理装置（モータ動作状態表示装置、モータ制御命令出力装置）
２・・・記録部（記録手段）
３・・・座標空間形成部（座標空間形成手段）
４・・・動作状態表示部（動作状態表示手段）
５・・・表示修正部（表示修正手段）
６・・・制御命令作成部（制御命令作成手段）
１０・・・遊技機
１３ａ・・・第一のモータ（モータ）
１３ｂ・・・第二のモータ（モータ）
２１・・・座標空間データ
２２・・・モータ動作データ
８１・・・表示画面（表示手段）
２２ａ１１１，２２ａ１２１，２２ｂ１１１，２２ｂ１２１・・・加速表示（図形）
２２ａ２１１，２２ａ２１２，２２ａ２２，２２ｂ２１１，２２ｂ２１２・・・定速表示（図形）
２２ａ３１１，２２ａ３２１，２２ｂ３１１，２２ｂ３２１・・・減速表示（図形）
８１１・・・第一のグラフ
８１２・・・第二のグラフ
【図１】
2015019466.tif 000003
【図２】
2015019466.tif 000004
【図３】
2015019466.tif 000005
【図４】
2015019466.tif 000006